(57)【要約】      （修正有）【課題】緩やかなＳ字カーブを描く背筋の理想的な形態を常に意識付けることができるクッションを提供する。【解決手段】椅子の背もたれと背中との間に挟まれるクッション１であって、内部に弾材が詰め込まれた本体２の、人体の背中に対応する中央部表面に第一の窪み４を形成すると共に、人体の臀部に対応する下部表面に第二の窪み５を形成し、更に人体のウエストに対応する両端部内に前記した本体２内の弾材よりも強い弾力の小片を詰め込んだボール１１を埋設した構成である。【選択図】図１
0003161888.tif 000002
【実用新案登録請求の範囲】
【請求項１】
椅子の背もたれと背中との間に挟まれるクッションであって、内部に弾材（３）が詰め込まれた本体（２）の、人体の背中に対応する中央部表面に第一の窪み（４）を形成すると共に、人体の臀部に対応する下部表面に第二の窪み（５）を形成し、更に人体のウエストに対応する両端部内に前記本体（２）内の弾材（３）よりも強い弾力の小片（１２）を詰め込んだボール（１１）を埋設したことを特徴とするクッション。
【考案の詳細な説明】
【技術分野】
【０００１】
本考案は、背筋の理想的な体型を習慣付けるためのクッションに関するものである。
【背景技術】
【０００２】
椅子に腰かけて長時間にわたり机に向かっていたりすると、どうしても背中に負担がかかり、常に背中に緊張感がかかるため痛くなったり、血行が悪くなって凝りが生じたり、更には背骨が前かがみに曲がり猫背がちになってしまう。このような状態を回避するには、側方から見て背骨が緩やかなＳ字カーブを描くような体型とすることが望ましい。
【０００３】
この理想的なＳ字カーブが描けないと骨格のバランスが崩れ、上記したように血行が悪くなって肩こりや腰痛の原因となり、ひいては内臓が圧迫されて機能低下を引き起こす等、全身に悪影響をもたらすのである。そこで、姿勢を矯正する観点から、例えば以下の如き考案、発明の提案がある。
【先行技術文献】
【特許文献】
【０００４】
【特許文献１】登録実用新案第３０１４９５５号公報
【特許文献２】特開２００８−１２６０２５号公報
【考案の概要】
【考案が解決しようとする課題】
【０００５】
この特許文献１の考案「クッション」は、背中と椅子の背もたれとの間に配置され、水平な本体部の両端に垂直な突出部を連設した略Ｈ字形状の構成で、本体部を腰近傍の背中に当てると、本体部の上方では背中を後方に反らせることができるので姿勢矯正や保温が行えるとしている。しかしながらこの構成では、背中を単に後方に反らせることができるに止まり、不自然で不安定な状態であるので、その姿勢を維持しようとすると無理な力が背筋に加わることになり、一時的な姿勢の変化を促す程度であって、背筋に理想的な体型を習慣付けさせるものではない。
【０００６】
また、特許文献２の発明「骨盤矯正クッション」は、凹状に形成された骨盤載置部の後端に腰尖角を保持する中材を設けた構成で、臀部後方を浮かせることにより骨盤を矯正しようとするものであるが、臀部後方を浮かせることにより結果的に背筋は伸びるものの、その状態を常に維持することができない不満が残る。
【０００７】
よって本考案は、上述した従来技術の欠点、不都合、不満を解消するべく開発されたクッションであって、背筋の理想的な形態を常に意識付けることができるようにすることを目的とする。
【課題を解決するための手段】
【０００８】
上記課題を解決するため、本考案のクッションは、椅子の背もたれと背中との間に挟まれるクッションであって、内部に弾材が詰め込まれた本体の、人体の背中に対応する中央部表面に第一の窪みを形成すると共に、人体の臀部に対応する下部表面に第二の窪みを形成し、更に人体のウエストに対応する両端部内に前記した本体内の弾材よりも強い弾力の小片を詰め込んだボールを埋設したことを特徴とする。
【考案の効果】
【０００９】
上記した本考案のクッションは、椅子の背もたれと背中との間に挟んだ状態で、人体の背中に対応する中央部表面には第一の窪みが形成されているので、この第一の窪み部分が背筋を背後から支えるだけでなく、内部に弾材が詰め込まれた両側の本体部分も背筋を左右から支えることになる。また、人体の臀部に対応する下部表面には第二の窪みが形成されているので、この第二の窪み部分に臀部が収まり、両側および下方部の本体部分が臀部全体を支えることになる。即ちこの状態では、骨盤から腰、背骨までを支え、背中全体を包み込む形態となって、背骨が緩やかなＳ字カーブを描くような理想的な体型を無理なく習慣付けることができるのである。
【００１０】
そして更に、人体のウエストに対応する両端部内には本体内の弾材よりも強い弾力の小片を詰め込んだボールが埋設されている。このボールは本体に比較すれば硬くて変形しにくく、ボールがウエスト部を左右から支持し、腰に適度の刺激を与えてマッサージ効果が期待できるだけでなく、背筋を伸ばそうとする力が作用することになり、前記した作用と相俟って、Ｓ字カーブの形成がより効果的に且つ確実に達成できる等、本考案は多くの優れた作用効果を奏する。
【図面の簡単な説明】
【００１１】
【図１】本考案にかかるクッションの一例を示す斜視図である。
【図２】図１のＡ−Ａ線断面図である。
【図３】図１のＢ−Ｂ線断面図である。
【図４】図１のＣ−Ｃ線断面図である。
【図５】本考案にかかるクッションを用いた状態を示す側面説明図である。
【図６】本考案にかかるクッションを用いた状態を示す背面説明図である。
【考案を実施するための形態】
【００１２】
椅子の背もたれと背中との間に挟まれる本考案のクッション１は、内部に弾材３が詰め込まれた長方体形状の本体２の、人体の背中に対応する中央部表面に第一の窪み４を形成すると共に、人体の臀部に対応する下部表面に第二の窪み５を形成した構成である。
【００１３】
その結果、第一の窪み４の上方左右には上部膨出部６、第一の窪み４の左右には上側膨出部７、第一の窪み４と第二の窪み５との間には中央膨出部８、第二の窪み５の左右には下側膨出部９、第二の窪み５の下方には下部膨出部１０が、夫々形成されることになる。
【００１４】
更に人体のウエストに対応する両端部である上側膨出部７下部内には、前記した本体２内の弾材３よりも強い弾力の小片１２を詰め込んだボール１１が埋設される。
【実施例】
【００１５】
本体２の表地としては伸縮性がなく滑りにくい素材を使用し、裏地としては椅子に設置してもずれにくい素材が望ましい。本体２の内部に詰め込まれる弾材３としてはポリエステル綿が選択される。
【００１６】
第一の窪み４と第二の窪み５の周囲は表地と裏地とを縫合する形態となっており、使用経時に従って生じる本体２内の弾材３の偏りを防止すると同時に、上部膨出部６、上側膨出部７、中央膨出部８、下側膨出部９、下部膨出部１０の大きな膨らみが確保できるようにする。また、上部膨出部６では左右に分割するように同じく縫合し、同様の効果を得る。
【００１７】
ボール１１の表地はポリエステルであり、内部に詰め込まれる、本体２内の弾材３よりも強い弾力の小片１２としてはポリスチレン発泡ビーズが使用される。
【００１８】
尚、本体２の中央部左右にはループ１３が設けられていて、紐を通して椅子に固定できるようになっている。
【００１９】
図５、図６にあって、矢視が、各膨出部及びボール１１の弾撥力が背中に作用する状態を示すもので、これらの弾力が背中を包み込むようにして支持し、背骨を緩やかなＳ字カーブを描くような理想的な体型に形成してその姿勢を無理なく習慣付けることができることが理解できよう。
【００２０】
即ち、第一の窪み４により支えられた背骨は、上側膨出部７とボール１１とにより若干前方に押されて緩やかなＳ字カーブを描き、その姿勢が維持される。また、第二の窪み５により支えられた臀部は、下部膨出部１０により下方から押されて支持された状態となり、その姿勢が左右の下側膨出部９により支持され、上記した背骨の緩やかなＳ字カーブの形成に大きく作用することになる。
【００２１】
また、ボール１１内の小片１２は本体２内の弾材３よりも強い弾力を有しているので、ウエスト部分を左右から単に支持するだけでなく、適度のマッサージ効果を期待することもできるのである。
【符号の説明】
【００２２】
１  クッション
２  本体
３  弾材
４  第一の窪み
５  第二の窪み
６  上部膨出部
７  上側膨出部
８  中央膨出部
９  下側膨出部
１０  下部膨出部
１１  ボール
１２  小片
１３  ループ
【図１】
0003161888.tif 000003
【図２】
0003161888.tif 000004
【図３】
0003161888.tif 000005
【図４】
0003161888.tif 000006
【図５】
0003161888.tif 000007
【図６】
0003161888.tif 000008